(57)【特許請求の範囲】
【請求項１】
複数の演奏データを格納する演奏情報記憶手段と、
複数の音色データを格納する音色情報記憶手段と、
上記演奏情報記憶手段に格納された個々の演奏データで使う上記音色情報記憶手段に格納された音色データを指定する音色指示手段と、
上記演奏情報記憶手段内の演奏データに加えて上記音色情報記憶手段の複数の音色データの内当該演奏データで使うべく上記音色指示手段で指定した音色データのみを抜き出し、スタイルデータとして出力するデータ読み出し手段と、
上記データ読み出し手段から読み出された演奏データと音色データよりなるスタイルデータを１つのスタイルとして格納するスタイル情報記憶手段と、
上記スタイル記憶手段に格納されたスタイルデータより演奏データとその中で使用する音色データを読み出し、演奏データおよび音色データを上記演奏情報記憶手段および上記音色情報記憶手段にそれぞれ書き込むデータ書き込み手段とを備えたことを特徴とする電子楽器。
【請求項２】
データ読み出し手段は、上記演奏情報記憶手段における複数の演奏データより個々の演奏データを取り出す時にフレーズごと、パートごと、曲ごと、その単位を設定することができるものであり、上記データ書き込み手段は、スタイル記憶手段に格納したスタイルデータよりフレーズごと、パートごと、曲ごと、その単位を設定することができるものである請求項１記載の電子楽器。
【発明の詳細な説明】
【０００１】
【発明の属する技術分野】
本発明は、自動演奏機能や自動伴奏機能を有した電子楽器に関する。
【０００２】
【従来の技術】
図２は従来の電子楽器の構成とその動作を示すものである。図２において、２１は音高、音長、演奏タイミングなどの演奏データを格納する演奏情報記憶手段である。２２は音波形、音色パラメータなど複数の音色データを格納する音色情報記憶手段である。２３は使用音色の指示手段であり、演奏情報記憶手段２１の演奏データを再生する時に情報記憶手段２２に複数記憶されているどの音色データを使うかを指示する。２４は演奏情報読み出し／書き込み手段であり、演奏情報記憶手段２１より演奏データを読み出し、外部メディアやメモリ、通信回線などに出力する。また逆に外部より取り込んだ演奏データを演奏情報記憶手段２１に対して書き込む。２５は音色情報読み出し／書き込み手段であり、音色情報記憶手段２２と外部の間で同様に音色データを読み出し、書き込む。また通常自動演奏または自動伴奏を行うには演奏情報記憶手段２１の演奏データを時間順に逐次読み出し、音色情報記憶手段２２の音色データおよび音色指示手段２３の指示データに基づいて発音することによりなされている。また、この音色指示は通常一定のものではなく、使用音色の指示手段２３によって自動演奏または自動伴奏のパートやコーラスなど、またフレーズの最中の切り替え情報などとして個々に設定されている。
【０００３】
【発明が解決しようとする課題】
この電子楽器において、自動演奏や自動伴奏の演奏データと、これらの演奏で使用する音色データは一般的にそのデータ構造の性格より全く別のものであり、例えば音色情報のみを別データと差し替えた場合に、自動演奏や自動伴奏の演奏データとの組み合わせが合わなくなり、楽曲として成り立たないとういう問題点を有していた。またこれを回避するには全演奏情報と全音色情報を一括管理することも考えられるが、この場合は情報量が大きく外部などとのデータ転送にも多大な時間がかかるといった問題点を有していた。
【０００４】
本発明は上記従来の問題点を解決するもので、自動演奏または自動伴奏の演奏で必要とする音色データのみを選別して取り出し、演奏データと共に１つのスタイルデータとして管理することにより、演奏データと音色データのずれをなくし、かつ最小限の情報量で取り扱うことのできる電子楽器を提供することを目的とする。
【０００５】
【課題を解決するための手段】
この課題を解決するために本発明の電子楽器は、複数の演奏データを格納する演奏情報記憶手段と、複数の音色データを格納する音色情報記憶手段と、上記演奏情報記憶手段に格納された個々の演奏データで使う上記音色情報記憶手段に格納された音色データを指定する音色指示手段と、上記演奏情報記憶手段内の演奏データに加えて上記音色情報記憶手段の複数の音色データの内当該演奏データで使うべく上記音色指示手段で指定した音色データのみを抜き出し、スタイルデータとして出力するデータ読み出し手段と、上記データ読み出し手段から読み出された演奏データと音色データよりなるスタイルデータを１つのスタイルとして格納するスタイル情報記憶手段と、上記スタイル記憶手段に格納されたスタイルデータより演奏データとその中で使用する音色データを読み出し、演奏データおよび音色データを上記演奏情報記憶手段および上記音色情報記憶手段にそれぞれ書き込むデータ書き込み手段とを備えている。
【０００６】
これにより、個々の演奏データに当該演奏データで使うべく音色指示手段で指定した音色データを加え、この演奏データと音色データよりなるスタイルデータを１つのスタイルデータとして管理することができるので、演奏データと音色データの格納を最小限の情報量としながら１つのスタイルデータとするので、演奏データと音色データのずれをなくすことができる。また、演奏情報記憶手段および音色情報格納手段の内容全てを壊すことなく最小限のデータ上書きを行うことができる。
【０００７】
【発明の実施の形態】
本発明の請求項１に記載の発明は、複数の演奏データを格納する演奏情報記憶手段と、複数の音色データを格納する音色情報記憶手段と、上記演奏情報記憶手段に格納された個々の演奏データで使う上記音色情報記憶手段に格納された音色データを指定する音色指示手段と、上記演奏情報記憶手段内の演奏データに加えて上記音色情報記憶手段の複数の音色データの内当該演奏データで使うべく上記音色指示手段で指定した音色データのみを抜き出し、スタイルデータとして出力するデータ読み出し手段と、上記データ読み出し手段から読み出された演奏データと音色データよりなるスタイルデータを１つのスタイルとして格納するスタイル情報記憶手段と、上記スタイル記憶手段に格納されたスタイルデータより演奏データとその中で使用する音色データを読み出し、演奏データおよび音色データを上記演奏情報記憶手段および上記音色情報記憶手段にそれぞれ書き込むデータ書き込み手段とを備えたものであり、個々の演奏データに当該演奏データで使うべく音色指示手段で指定した音色データを加え、この演奏データと音色データよりなるスタイルデータを１つのスタイルデータとして格納、転送、展開することができるので、演奏データと音色データの格納を最小限の情報量としながら１つのスタイルデータとして管理するので、演奏データと音色データのずれをなくし、かつ最小限の情報量で取り扱うことのできる電子楽器を提供することができる。また、演奏情報記憶手段および音色情報格納手段の内容全てを壊すことなく最小限のデータ上書きを行うことができるという作用を有する。
【０００８】
本発明の請求項２に記載の発明は、請求項１において、データ読み出し手段は、上記演奏情報記憶手段における複数の演奏データより個々の演奏データを取り出す時にフレーズごと、パートごと、曲ごと、その単位を設定することができるものであり、上記データ書き込み手段は、スタイル記憶手段に格納したスタイルデータよりフレーズごと、パートごと、曲ごと、その単位を設定することができるものであり、スタイルデータの管理単位をより高度に扱うことができるという作用を有する。
【０００９】
以下、本発明の実施の形態について、図１を用いて説明する。
図１は音色メモリ付き自動伴奏装置を示し、図１において演奏情報記憶手段１１は複数の自動伴奏の演奏データを格納する。音色情報記憶手段１２は複数の音色データを格納する。音色指示手段１３は演奏情報記憶手段１１に格納された複数のどの演奏データが音色情報記憶手段１２に格納された複数のどの音色データを使うのか、指定する。データ読み出し手段１４は音色指示手段１３の情報を元に、演奏情報記憶手段１１内の個々の演奏データに加えて音色情報記憶手段１２の複数の音色データの内必要な音色データのみを抜き出し、スタイルデータとして出力する。スタイル情報記憶手段１５はデータ読み出し手段１４より読み出されたスタイルデータを格納する。データ書き込み手段１６はスタイル情報記憶手段１５よりスタイル情報を読み出し、演奏情報記憶手段１１および音色情報記憶手段１２に対してその必要となる演奏データおよび音色データを書き込む。
【００１０】
【発明の効果】
以上のように本発明によれば、個々の演奏データに当該演奏データで使うべく音色指示手段で指定した音色データを加え、この演奏データと音色データよりなるスタイルデータを１つのスタイルデータとして管理することができるので、演奏データと音色データの格納を最小限の情報量としながら１つのスタイルデータとするので、演奏データと音色データのずれをなし、データ管理を行える。また、演奏情報記憶手段および音色情報格納手段の内容全てを壊すことなく最小限のデータ上書きを行うことができるという有効な効果が得られる。
【図面の簡単な説明】
【図１】本発明の一実施例の形態による電子楽器の構成図
【図２】従来の電子楽器の構成図
【符号の説明】
１１  演奏情報記憶手段
１２  音色情報記憶手段
１３  音色指示手段
１４  データ読み出し手段
１５  スタイル情報記憶手段
１６  データ書き込み手段
２１  演奏情報記憶手段
２２  音色情報記憶手段
２３  音色指示手段
２４  演奏情報読み出し／書き込み手段
２５  音色情報読み出し／書き込み手段
【図１】
0003733685.tif 000002
【図２】
0003733685.tif 000003